(57)【要約】【課題】網戸の通気面積を狭めることなく、かつ、網の取り替えの必要なく、効率よく虫忌避、芳香、防臭または消臭などの効果を発揮し得る機能性網戸を提供する。【解決手段】窓または戸に用いられ、枠体１と、この枠体１で囲まれる空間に張られた防虫ネット２とを備えた網戸１０であって、枠体１Ｃに貫通穴を設け、この貫通穴を設けた枠体内部に、虫忌避、芳香、防臭または消臭の少なくともいずれかの効果のある気体を発生する気体発生体を収容し、この貫通穴の両側に複数の通気孔４ａを設けた通気窓４を着脱可能に設け、通気窓４から前記少なくともいずれかの効果のある気体が網戸１０近辺に漂い出るようにした。【選択図】図１
0003176163.tif 000002
【実用新案登録請求の範囲】
【請求項１】
窓または戸に用いられ、枠体と、この枠体で囲まれる空間に張られた防虫ネットとを備えた網戸であって、前記枠体に貫通穴を設け、この貫通穴を設けた枠体内部に、虫忌避、芳香、防臭または消臭の少なくともいずれかの効果のある気体を発生する気体発生体を収容し、この貫通穴の両側に複数の通気孔を設けた通気窓を着脱可能に設け、前記通気窓から前記少なくともいずれかの効果のある気体が網戸近辺に漂い出るようにしたことを特徴とする機能性網戸。
【請求項２】
前記通気窓は、前記貫通穴を貫通して着脱可能に取付られる筒状体を備え、前記筒状体は、それぞれ少なくともその一方の筒端に前記通気孔を複数設けた窓側部分を備えている外筒と内筒とからなり、前記外筒と内筒とは隙間無く填まり込み、その両者が填まり込んだ状態で、前記二つの窓側部分が前記貫通穴を通しての通気を可能とする通気窓となるように構成され、
前記内筒内に、前記気体発生体を収容可能としたことを特徴とする請求項１記載の機能性網戸。
【請求項３】
前記通気窓は、前記通気孔を開閉できるような開閉式であることを特徴とする請求項１または２記載の機能性網戸。
【請求項４】
前記通気窓を設けるべき枠体の内部に、気体発生体を貯留した収容容器を収容し、この収容容器に、前記気体発生体から発生する虫忌避、芳香、防臭または消臭の少なくともいずれかの効果のある気体を流通させる容器側通気孔が設けられ、前記収容容器に貯留された気体発生体の残量が見える残量窓を前記枠体に設け、前記容器側通気孔が前記通気窓の代わりとなる場合と、前記容器側通気孔の外側に前記通気窓を設ける場合とがあることを特徴とする請求項１または２記載の機能性網戸。
【請求項５】
前記気体発生体が液体であって、前記容器側通気孔が設けられた部分に、前記機能性網戸が移動した場合にも、前記液体状の気体発生体があふれでないようにする漏れ防止トラップが設けられたことを特徴とする請求項４記載の機能性網戸。
【考案の詳細な説明】
【技術分野】
【０００１】
本考案は、虫忌避、芳香、防臭または消臭などの効果のある気体を発生することができる機能性網戸に関する。
【背景技術】
【０００２】
原子力発電の安全性が問題となり、世界と日本の情勢は脱原発の方向に進んでいる中、夏期の節電のために、電気を使うクーラーの代替品として、防虫をしながら、自然の風の出入りを可能とする網戸の存在が重要視されている。
【０００３】
しかし、網戸は、蚊を筆頭とする虫にとっては、室内への進入を阻止するバリアーとなっており、ともすれば、網戸の外側に蚊などがより多く集まるという傾向があり、それを防止するために、物干しざおに引っ掛けて用いられ、蚊忌避気体を発散させる蚊忌避剤収容体などが販売され、使用されている。
【０００４】
また、網戸の網部分に着脱可能に装着可能な蚊忌避剤収容体が、特許文献１、２で提案されているが、この蚊忌避剤収容体には通気性がなく、わずかではあるが、網戸の通気面積を小さくするものであり、また、通気による蚊忌避気体の発散効果が少ないと思われた。
【０００５】
本願出願人は、上記状況に鑑み、網戸自身に蚊を含む虫忌避機能を備えるようにすれば、良いのではないかと考え、先行技術調査をおこなった結果、特許文献３〜５のように、網の素材そのものに虫忌避剤を練り込むものは少なからずあったが、これでは、その効果がなくなった場合には、網の取り替えが必要であった。
【０００６】
また、虫忌避だけでなく、芳香、消臭、防臭などの効果も網戸にあれば、より網戸の機能性が高まるがそのような要請に応えるには、網の素材そのものを変えるという方法では、なかなか、実現し難いものがあった。
【先行技術文献】
【特許文献】
【０００７】
【特許文献１】特開２００５−１８０１４８号公報（図１、２）
【特許文献２】実開平６−０２５１６５号公報（図１、２）
【特許文献３】実登３１４３５１３号公報（請求項５）
【特許文献４】特開２００２−２０５９０３号公報
【特許文献５】特開２００１−２２０９７０号公報
【考案の概要】
【考案が解決しようとする課題】
【０００８】
本考案は、上記問題を改善しようとするもので、網戸の通気面積を狭めることなく、かつ、網の取り替えの必要なく、効率よく虫忌避、芳香、防臭または消臭などの効果を発揮し得る機能性網戸を提供することを目的とする。
【課題を解決するための手段】
【０００９】
本考案の機能性網戸は、窓または戸に用いられ、枠体と、この枠体で囲まれる空間に張られた防虫ネットとを備えた網戸であって、前記枠体に貫通穴を設け、この貫通穴を設けた枠体内部に、虫忌避、芳香、防臭または消臭の少なくともいずれかの効果のある気体を発生する気体発生体を収容し、この貫通穴の両側に複数の通気孔を設けた通気窓を着脱可能に設け、前記通気窓から前記少なくともいずれかの効果のある気体が網戸近辺に漂い出るようにしたので、網戸の通気面積を狭めることなく、かつ、網の取り替えの必要なく、効率よく虫忌避、芳香、防臭または消臭などの効果を発揮することができる。
【考案の効果】
【００１０】
上記、解決手段に記載した通りである。
【図面の簡単な説明】
【００１１】
【図１】本考案の機能性網戸の一例を示す正面図
【図２】図１の機能性網戸に用いられている通気窓を示すもので、（ａ）は、その外観斜視図、（ｂ）は、その網戸の枠への取付状態の要部断面図、（ｃ）は（ｂ）のＡ矢視図、（ｄ）は（ｃ）のＣ矢視断面図、（ｅ）は、（ｂ）のＢ矢視図、（ｆ）は（ｃ）のＥ矢視図
【図３】（ａ），（ｂ）は、本考案の機能性網戸の他例を示す設置状態の外観斜視図
【図４】本考案の機能性網戸の他例を示すもので、（ａ）はその通気窓が閉状態の要部正面図、（ｂ）は、（ａ）のＦＦ矢視断面図、（ｃ）はその通気窓が開状態の要部正面図、（ｄ）は、（ｃ）のＧＧ矢視断面図、
【図５】図４の通気窓の構成部品を示すもので、（ａ）は、外筒の一方側の外観斜視図、（ｂ）は、外筒の他方側の外観斜視図、（ｃ）は、内筒の一方側の外観斜視図、（ｂ）は、内筒の他方側の外観斜視図
【図６】本考案の機能性網戸の他例を示すもので、（ａ）は、その要部正面図、（ｂ）は、その気体発生体を示す図、（ｃ）は、その気体発生体の収容容器を示す図、（ｄ）は、（ｂ）の気体発生体を網戸の枠に入れる所を示す斜視図
【図７】本考案の機能性網戸の他例を示すもので、（ａ）は、その要部である収容容器の外観斜視図、（ｂ）は、（ａ）のＨＨ矢視断面図、（ｃ）は、（ａ）の収容容器を設置した機能性網戸の要部正面図、（ｄ）は、（ｂ）に更に通気窓を設置した状態の要部正面図
【図８】本考案の機能性網戸の他例を示す外観斜視図
【図９】本考案の機能性網戸の他例を示す外観斜視図
【符号の説明】
【００１２】
１        枠体
１ｂ      貫通穴
２        防虫ネット
３、３Ａ        気体発生体
４〜４Ｅ        通気窓
４Ｂ      開閉式通気窓
４ａ      通気孔
４ｂｃ      筒状体
４ｂ      外筒
４ｃ      内筒
５        収容容器
６        収容容器
７        残量窓
８        漏れ防止トラップ
１０〜１０Ｆ        機能性網戸
【考案を実施するための形態】
【００１３】
以下に、本考案の実施の形態（実施例）について、図面を用いて説明する。
【００１４】
＜実施形態１＞
図１は、本考案の機能性網戸の一例を示す正面図、図２は、図１の機能性網戸に用いられている通気窓を示すもので、（ａ）は、その外観斜視図、（ｂ）は、その網戸の枠への取付状態の要部断面図、（ｃ）は（ｂ）のＡ矢視図、（ｄ）は（ｃ）のＣ矢視断面図、（ｅ）は、（ｂ）のＢ矢視図、（ｆ）は（ｃ）のＥ矢視図である。
【００１５】
この図１に示す機能性網戸１０は、窓または戸に用いられ、枠体１と、この枠体１で囲まれる空間に張られた防虫ネット２とを備えた網戸１０であって、前記枠体１Ｃに貫通穴（図１では見えない。）を設け、この貫通穴を設けた枠体１Ｃ内部に、虫忌避、芳香、防臭または消臭の少なくともいずれかの効果のある気体を発生する気体発生体（図１では見えない。）を収容し、この貫通穴の両側に複数の通気孔４ａを設けた通気窓４を設け、前記通気窓４から前記少なくともいずれかの効果のある気体が網戸１０近辺に漂い出るようにしたことを特徴とする。
【００１６】
なお、この機能性網戸１０は、一例として、ベランダ等への出入り口のガラス戸部分に用いられるものを示したもので、枠体１は、上下の横枠１Ａと、左右の縦枠１Ｂと、上下の中央部分の中枠１Ｃとで構成され、上の横枠１Ａは、前記ガラス戸を左右方向にスライドさせる枠体である戸設置枠の網戸用上ガイドに填まり込んで左右に移動可能で、下の横枠１Ａは、同外枠の網戸用下ガイド上を左右に移動可能となっている。多くの場合、この下の横枠１Ａには、前記網戸用下ガイド上を転動するコロが用いられている。
【００１７】
この機能性網戸１０は、上記の構成であるので、まず、防虫ネット２には何らの障害物がないので、その全面積を大気の流通に用いることができる。加えて、通気窓４は、これまで、通気に使われていなかった部分の枠体に通気機能を持たせるので、網戸１０全体の通気機能がよりよくなることはあっても、気体発生体を設けることにより、その通気機能が障害を受けることはない。
【００１８】
また、気体発生体は、通気窓４で空気が流通する枠体１Ｃ内に収容されているので、その空気の流通に促進されて、虫忌避、芳香、防臭または消臭の効果のある気体をより効率よく網戸付近に発生させ、網戸１０近辺に漂い出るようにすることができる。また、網戸自身は室内への最短距離にある為、その虫忌避、芳香、防臭または消臭の効果がより効率よく生じ、虫忌避の気体の場合、網戸１０の防虫ネット２に虫が寄り付かず、網に虫が付着することを防止する機能が最もよく発揮される。
【００１９】
更に、基本的に主にアルミ製である網戸枠体が破損しない限り使用可能であり、長年の使用をすることができる。かつ、ベランダへの出入り口に設けられた網戸１０の場合、出入りのたびに機能性網戸１０が動くため、内部に収容された気体発生体が振動を受け、より多く、虫忌避、芳香、防臭または消臭の効果のある気体を発生することができる。
【００２０】
更に、通気窓４は、枠体１Ｃに対して、着脱可能であるので、目的に応じて、虫忌避、芳香、防臭または消臭の少なくともいずれかの効果のある気体を発生する気体発生体を選択して、収容させることができ、網戸に虫避けだけでない機能を発揮させることができて、機能性網戸１０としての機能をより充実させることができる。
【００２１】
虫忌避、芳香、防臭または消臭の少なくともいずれかの効果のある気体を発生する気体発生体としては、虫忌避、消臭、アロマ効果のある青森（青森のものが有名だが、その産地には限定されない。）ヒバや、檜や、イネ科植物ベチバー（アカル）などのエキスを素材とする自然系のものであってもよく、市販されている虫忌避剤、芳香剤、防臭剤、消臭剤、あるいは、これらの少なくともいずれかの機能を併せ持つ自然系や合成系の薬剤であってもよく、目的に合わせて、自由に選択することができる。
【００２２】
気体発生体の形状としては、固形物であっても、粉粒状物であっても、マイクロカプセル状であっても、液体であってもよく、市販のものを適宜用いることができる。気体発生体の形状によっては、その形状に合わせた収容容器が必要となるが、それについては、後述する。
【００２３】
図２を用いて、図１の機能性網戸１０の要部である通気窓４の構造について説明する。この通気窓４は、中枠１Ｃの貫通穴１ｂを貫通して着脱可能に取付られる筒状体４ｂｃを備え、この筒状体４ｂｃは、それぞれ少なくともその一方の筒端に前記通気孔４ａを複数設けた窓側部分を備えている外筒４ｂと内筒４ｃとからなり、これらの外筒４ｂと内筒４ｃとは隙間無く填まり込み、その両者が填まり込んだ状態で、前記二つの窓側部分が前記貫通穴１ｂを通しての通気を可能とする通気窓４となるように構成され、この内筒４ｃ内の収容空間ＨＡに、気体発生体３を収容可能としたものである。
【００２４】
なお、図示した符号１ａは、防虫ネットの縁部分と、固定ゴム体とを収容するネット固定部である。
【００２５】
この例示の外筒４ｂ、内筒４ｃは、一端が開口した円筒状で、非開口側の窓側部分には、横枠１Ｃの表面に接触する鍔状部が張り出しており、収容空間ＨＡに通気できる位置に、多数の通気孔１ａが設けられている。外筒４ｂの筒部分の外周は、中枠１Ｃの貫通穴１ｂの内周に外筒４ｂが弾性変形して収縮した状態で人の手で嵌め込み、また、取り外しできる程度の嵌め合い状態で設置されている。
【００２６】
内筒４ｃの外周とこれに接触する外筒４ｂの内周との関係も、相互に弾性変形により変形する程度で、人の手で嵌め込み、また、取り外しできる程度の嵌め合い状態で設置される。上述したような貫通孔１ｂと外筒４ｂとの及び外筒４ｂと内筒４ｃとの嵌め合いは、気体発生体３から発生する気体が通過することができない程度の隙間の無い関係となっている。
【００２７】
よって、内筒４ｃ内に収容された気体発生体３は、通気孔４ａのみを通して、網戸１０の近傍に漂い出ることができる。この通気孔４ａは、同時に機能性網戸１０の室内側と室外側との間を空気が流通することができるものでもあるので、この空気の流れに促進されて、気体発生体３からの気体の発生、外部への漂出もより効率的に行われる。
【００２８】
外筒４ｂには、内筒４ｃの外径より内側にまで、その縁部分が突出した受け凹部４ｄが内円周の対向する位置に設けられ、内筒４ｃには、前記外筒４ｂの受け凹部４ｄに填まり込む突出部４ｅが設けられ、この受け凹部４ｄと突出部４ｅとの填まり込みにより、外筒４ｂと内筒４ｃとが相対的に回転しないようになっている。なお、この相対的な回転規制により、外筒４ｂと内筒４ｃとの通気窓の通気孔４ａの位置合わせをしており、両側の通気孔４ａ間の空気の流通をよりスムーズにすることができる。
【００２９】
この外筒４ｂの受け凹部４ｄと、内筒４ｃの突出部４ｅの嵌まり合いの長さは、貫通孔１ｂの軸方向にある程度の区間に渡っており、この関係は、同様に、外筒４ｂと内筒４ｃとの嵌まり合い長さにも共通している。よって、この通気窓４は、中枠１Ｃの貫通孔１ｂの長さが多少長い場合や、短い場合にも対応することができ、種々の厚さの網戸への適用性が高い。
【００３０】
通気窓４の素材としては、上記外筒４ｂ，内筒４ｃとの間の弾性嵌まり合いや、形状の成形性を考慮すると、合成樹脂が適切であり、その中でも、ＰＰ（ポリプロピレン）またはＰＥ（ポリエチレン）が、入手し易さ、コストの面で好適であるが、これらに限定されるものではない。また、ＰＰや、ＰＥの場合、透明のものとすることも可能で、その場合に中に収容した気体発生体３が気体発生によって、減量したり、変色するものであれば、交換時期を知ることができるので、好適である。
【００３１】
なお、外筒４ｂ、内筒４ｃとの双方とも中枠１Ｃから取り外し可能なので、外筒４ｂ、内筒４ｃの内部や、外部が気体発生体の残留物などや、長年の使用で汚染したりした場合、取り外して、洗浄することができるので、いつまでもきれいな状態で使うようにすることができる。
【００３２】
＜実施形態２＞
図３（ａ），（ｂ）は、本考案の機能性網戸の他例を示す設置状態の外観斜視図である。なお、これより既に説明した部分には同じ符号を付して、重複説明を省略する。また、同様の構成部品については、添字を付して、その基本的機能が同一であること意味するものとする。
【００３３】
この機能性網戸１０Ａは、その中枠１Ｃの貫通孔１ｂにはめ込まれる通気窓４Ａが、図１の通気窓４に比べ、その外筒４ｂ′が奥側となり、内筒４ｃ′が手前側となり、この内筒４ｃ′が二分割されて、外筒４ｂ′に着脱可能に嵌め込み可能になっている点が異なっている。
【００３４】
このような構成の通気窓４Ａを備えた機能性網戸１０Ａであっても、図１の機能性網戸１０と同様の効果を発揮することは明らかである。加えて、この場合、内筒４ｃ′の交換が、半分だけを外すだけでよいので、よりやり易い、という効果も発揮する。
【００３５】
＜実施形態３＞
図４は、本考案の機能性網戸の他例を示すもので、（ａ）はその通気窓が閉状態の要部正面図、（ｂ）は、（ａ）のＦＦ矢視断面図、（ｃ）はその通気窓が開状態の要部正面図、（ｄ）は、（ｃ）のＧＧ矢視断面図、図５は、図４の通気窓の構成部品を示すもので、（ａ）は、外筒の一方側の外観斜視図、（ｂ）は、外筒の他方側の外観斜視図、（ｃ）は、内筒の一方側の外観斜視図、（ｂ）は、内筒の他方側の外観斜視図である。
【００３６】
この機能性網戸１０Ｂは、通気窓４Ｂが、通気孔４ａ′を開閉できるような開閉式である開閉式通気窓４Ｂとなっている点が、図１の機能性網戸１０の通気窓４と異なっている。
【００３７】
通気孔４ａ′を開閉できるようにするために、この通気窓４Ｂは、それぞれ一端開口で他端が通気孔４ａ′を備えた窓側部分である円筒状の外外筒４ｆと、内外筒４ｇとからなる外筒４ｆｇと、この外筒４ｆｇの中に隙間なく、かつ、回転可能に収容された、それぞれ一端開口で他端が通気孔４ａ′を備えた窓側部分である円筒状の外内筒４ｈと、内内筒４ｉとからなる内筒４ｈｉとを備えている。
【００３８】
それぞれの窓側部分には、円筒の中心から、放射状に所定角度間隔で、所定半径方向間隔の通気孔４ａ′が設けられ、この通気孔４ａ′は、円周上隣合う同士の間に、通気孔４ａ′の孔径以上の間隔が有るように設けられ、また、より半径の大きい位置に設けられる孔はより大きな孔になるようにして、通気孔４ａ′全体の通気面積をより大きく確保できるようにしている。また、全ての外筒４ｆｇ、内筒４ｈｉの両面の通気孔４ａ′は、大きさと位置が同じになるように設けられている。
【００３９】
外筒４ｆｇの外外筒４ｆと、内外筒４ｇとは、相互に回転しないように、図５（ａ）、（ｂ）に示すように、突部４ｍと凹部４ｎとが嵌まり合うようになっている。同様に、内筒４ｈｉの外内筒４ｈと、内内筒４ｉとも、相互に回転しないように、図５（ｃ）、（ｄ）に示すように、凹部４ｏと突部４ｐとが嵌まり合うようになっている。
【００４０】
外筒４ｆｇの外外筒４ｆには、一番外側の通気孔４ａ′より更に外側に、外筒４ｆｇに対して、内筒４ｈｉを、内筒４ｈｉの通気孔４ａ′が、外筒４ｆｇの通気孔４ａ′に一致する位置から、内筒４ｈｉの通気孔４ａ′が外筒４ｆｇの通気孔４ａ′の間の位置となる位置（内筒４ｈｉの通気孔４ａ′が外筒４ｆｇの通気孔４ａ′間の孔のない部分で閉鎖される位置）まで回転させ得る範囲の円弧長孔４ｊが設けられている。
【００４１】
内筒４ｈｉの外内筒４ｈには、上記外筒４ｆｇの外外筒４ｆの円弧長孔４ｊを貫通して、通気窓４Ｂの外側にまで突出する回転突起４ｋが設けられ、この回転突起４ｋを回転操作することで、通気孔４ａ′の図５（ａ）、（ｂ）の閉状態と、図５（ｃ）、（ｄ）の開状態とを作り出すことができる。
【００４２】
このような開閉式通気窓４Ｂを備えた機能性網戸１０Ｂによれば、図１の機能性網戸１０と同様の効果を発揮するのに加え、蚊などが発生し、かつ、外気の流通の必要な厳暑期のみ、通気孔４ａ′を開放して、虫忌避等の効果のある気体を漂出させ、それ以外の時期は、通気孔４ａ′を閉鎖して、虫忌避等の効果のある気体を漂出させないようにして、気体発生体からの気体の無駄な発生を抑制することができ、同じ気体発生体を取り替えることなく、より長期間使用することができる。
【００４３】
また、上記の方法の場合、一つの通気窓の両側の通気孔４ａ′を片側だけからの操作で同時に開閉できるので、便利がよい。また、円弧長孔と回転突起とを両側に設けて、両側から同時に操作できるようにしてもよく、その場合、開閉操作がよりスムーズに行われる。この両側設置の場合でも、片側だけから操作することもできる。
【００４４】
通気孔を開閉する方法は、上記の方法に限定されるものではなく、例えば、一番簡単には、通気窓全体を覆う厚さの薄いキャップを被せたり、被せなかったりする方法でもよく、通気孔と枠との間に隙間を作り、そこに、隙間無く填まり込む孔のないプレートを出し入れする方法でもよい。
【００４５】
＜実施形態４＞
図６は、本考案の機能性網戸の他例を示すもので、（ａ）は、その要部正面図、（ｂ）は、その気体発生体を示す図、（ｃ）は、その気体発生体の収容容器を示す図、（ｄ）は、（ｂ）の気体発生体を網戸の枠に入れる所を示す斜視図である。
【００４６】
この機能性網戸１０Ｃは、通気窓４Ｃは、中枠１Ｃの貫通孔を貫通するように設けられるのではなく、貫通孔の両側に蓋をするように設けられ、この複数の通気窓４Ｃの内の両端に達するように連結紐５ａで連結された気体発生体３の収容容器５が複数個、一定の間隔をおいて設けられている点が、図１の機能性網戸１０の通気窓４と異なっている。
【００４７】
収容容器５は、筒状で相互に嵌まり合いまた分離させることができる外筒と内筒とからなり、少なくともこれらの外筒と内筒の非開口部分には、通気孔５ｂが複数設けられており、収容された気体発生体３の気体を中枠１Ｃ内に漂出させ、充満させることができる。中枠１Ｃ内に充満された気体は、通気窓４Ｃから網戸１０Ｃの近傍に漂出される。
【００４８】
この気体発生体３を収容し、連結紐５ａで連結された収容容器５を中枠１Ｃ内に挿入するには、図５（ｄ）に説明するように、一連の連結窓４Ｃが上下方向になるようにして、一番上の連結窓４Ｃの一方を開いて、連結紐５ａで連結された収容容器５を順に入れてゆき、連結紐５ａの先端が一連の連結窓４Ｃの一番遠いものに達した状態で、そこの連結窓４Ｃを開き、連結紐５ａの先端を、連結窓４Ｃと貫通孔との間に挟みこんで止めるようにし、一方、いれた方の通気窓４Ｃでも、同様に、連結紐５ａの基端を連結窓４Ｃと貫通孔との間に挟みこんで止めるようにするとよい。
【００４９】
このような構成の通気窓４Ｃを備えた機能性網戸１０Ｃでも、図１の機能性網戸１０と同様の効果を発揮することは明らかである。加えて、この場合、網戸１０Ｃの移動の振動がより収容容器５に効果的に及び、気体発生体３からの気体の発生を助長すると考えられる。
【００５０】
＜実施形態５＞
図７は、本考案の機能性網戸の他例を示すもので、（ａ）は、その要部である収容容器の外観斜視図、（ｂ）は、（ａ）のＨＨ矢視断面図、（ｃ）は、（ａ）の収容容器を設置した機能性網戸の要部正面図、（ｄ）は、（ｂ）に更に通気窓を設置した状態の要部正面図である。
【００５１】
この機能性網戸１０Ｄは、通気窓を設けるべき枠体１Ｃの内部に、気体発生体３Ａを貯留した収容容器６を収容し、この収容容器６に、気体発生体３Ａから発生する虫忌避、芳香、防臭または消臭の少なくともいずれかの効果のある気体を流通させる容器側通気孔６ｆが設けられ、収容容器６に貯留された気体発生体３Ａの残量が見える残量窓７を枠体（横枠）１Ｃに設けた点が、図１の機能性網戸１０に比べ異なっている。
【００５２】
加えて、図７（ｃ）に示すように、容器側通気孔６ｆが貫通孔１ｂ部分に露出して、通気窓の代わりとなる場合（機能性網戸１０Ｄ）と、容器側通気孔６ｆの外側に通気窓４Ｃを設ける場合（機能性網戸１０Ｄ′）とがある点でも、図１の機能性網戸１０に比べ異なっている。
【００５３】
この機能性網戸１０Ｄは、収容容器６が、液体状の気体発生体３Ａを貯留するもので、機能性網戸１０Ｄが移動した場合にも、液体状の気体発生体３Ａがあふれでないようにする漏れ防止トラップ８が設けられた点でも、図１の機能性網戸１０に比べ異なっている。この漏れ防止トラップ８を設けるために、収容容器６は、その内部を分割する縦壁６ｃを備え、この縦壁６ｃは、下方部分には液体状の気体発生体３Ａを流通させる隙間を備えている。
【００５４】
収容容器６の分割された一方側は主貯留室６ｂとなり、ここに、液体状の気体発生体３Ａが貯留され、他方側は、内部に毛細管作用のある繊維が充填された漏れ防止トラップ８となっている。主貯留室６ｂの液体状の気体発生体３Ａは下部の隙間から、漏れ防止トラップ８の毛細管作用繊維に徐々に吸収され、漏れ防止トラップ８全体に行き渡るが、同時に上述したように、液体状の気体発生体３Ａの漏れだしも防止している。
【００５５】
この漏れ防止トラップ８部分に、上記容器側通気孔６ｆが収容容器６の両側に開口するように複数個設けられており、この部分の繊維間に充填された気体発生体３Ａから発生する気体を外へ流通させる。
【００５６】
更に、収容容器６は、気体発生体３Ａを受け入れる受け入れ口６ａを備え、この受け入れ口６ｃに対応した孔が中枠１Ｃに設けられ、その中枠１Ｃの孔を介して、受け入れ口６ｃを閉鎖するキャップ６ｈが設けられている。
【００５７】
収容容器６の上面の中央部分には、位置決め突起６ｇが設けられ、収容容器６を事実上挟み込んで収容する中枠１Ｃの枠桟１ｃには、この位置決め突起６ｇが填まり込むような位置決め孔１ｄが設けられている。収容容器６は、枠桟１ｃの開口端から挿入され、位置決め孔１ｄの無い部分では、その容器の弾性変形により枠桟１ｃ内に人の手で押し込むことができ、位置決め孔１ｄ部分に来ると、弾性力により両者が填まり込んで、枠桟１ｃ内での位置決めがなされる。
【００５８】
この位置決めがなされると、収容容器６の容器側通気孔６ｆは、貫通孔１ｂ部分に位置し、図７（ｃ）のような状態となる。
【００５９】
残量窓７により、収容容器６内の気体発生体３Ａの残量が少なくなった場合、あるいは、無くなった場合を確認した際には、キャップ６ｈを外して、気体発生体３Ａを追加することができる。よって、この機能性網戸１０Ｄによれば、図１の機能性網戸１０と同様の効果を発揮することができることに加え、気体発生体３Ａの残量が解り、それに応じて、気体発生体３Ａを適切な時期に追加して、機能性網戸１０Ｄの上記機能が持続的に発揮されるようにすることができる。
【００６０】
また、液体の気体発生体３Ａの漏れだしを防止する漏れ防止トラップ８を備えているので、左右に移動する機能性網戸１０Ｄで液体の気体発生体３Ａを用いても、その漏れだしの心配がない。
【００６１】
収容容器６内に収容される気体発生体３Ａは液体のものだけに限定されず、受け入れ口６ｃから追加投入できるものであればよく、粒状のもの、粉状のもの、マイクロカプセル状のものであってもよい。これら液体でない気体発生体３Ａを用いる場合には、漏れ防止トラップ８と、縦壁６ｃとを設けなくともよいことがある。
【００６２】
また、この収容容器６を用いる場合、図７（ｃ）のように、その外側に通気窓４Ｃを設けなくとも、貫通孔１ｂに容器側通気孔６ｆが露出することにより、気体発生体３Ａから発生する気体を、網戸の近傍に漂い出させることができる。一方、外観の美的観点からは、図７（ｄ）のように、図６で用いた通気窓４Ｃを設置するようにしてもよい。
【００６３】
この通気窓を設ける場合には、図４、５で説明したものと同様に、容器側通気孔と、通気窓の通気孔の位置と大きさを配置しておけば、外側の通気窓を回転させることにより、通気孔を開閉式とすることも可能となる。また、受け入れ口６ｃを収容容器６の両側に設けてもよく、その場合、収容容器６は左右対称となり、右勝手、左勝手の双方に使用できる。この場合、不要の受け入れ口６ｃは、枠体１Ｃなかに容器６を入れられる程度の蓋で
密封してもよく、両方にキャップ６ｈを付けるようにしてもよい。キャップ６ｈを両方に付けた場合、機能性網戸１０Ｄ、Ｄ´の内側、外側のいずれからでも気体発生体を追加できるので、便利が良い。
【００６４】
＜実施形態６＞
【００６５】
図８は、本考案の機能性網戸の他例を示す外観斜視図、図９は、本考案の機能性網戸の他例を示す外観斜視図である。
【００６６】
図８の機能性網戸１０Ｅは、住戸の玄関に設けられるもので、中折れで開閉できるようになっており、その上下の枠体１に、ほぼ長方形状の通気窓４Ｅがそれぞれの枠毎に一個ずつ設けられている点が、図１の機能性網戸１０に比べて異なっている。
【００６７】
この通気窓網戸１０Ｅの場合、ほぼ長方形の通気窓４Ｅの中に気体発生体が収容されており、図１の機能性網戸１０と同じ効果を発揮することに加え、通気窓４Ｅの気体発生体の収容量が多く、枠当たりの個数が少ないので、気体発生体の交換の手間も少なくなる。また、この例示にあるように、通気窓は必ずしも円形に限定されず、円形以外の形状であってもよく、この例のようにほぼ長方形であってもよい。
【００６８】
一方、通気窓４Ｅは、開閉式であってもよく、開閉式でなくともよい。開閉式の場合は、図４、５の開閉式通気窓４Ｂと同様の効果を更に発揮する。
【００６９】
図９の機能性網戸１０Ｆは、移動しない固定タイプの網戸であって、トイレや浴室の通気窓Ｗであって、そのガラス部分が分割された傾動可能な傾動ガラスＧを複数枚上下に連続させて設けたもので、ハンドルＴを回転させることで、傾動ガラスＧをほぼ垂直な状態で外気の流通を抑制する状態から、ほぼ水平に近い外気の流通を可能とする状態まで、傾きを変えることができるものの内側に図示した一点鎖線の想像線のような形で取り付けられるものである。
【００７０】
この傾動ガラスＧの傾動は、通気窓Ｗの表面側から室内側に傾動ガラスＧが入り込まないように行われ、また、機能性網戸１０Ｆは、ハンドルＴの内側になるように設置され、ハンドルＴの操作には支障がないようになっている。また、傾動ガラスＧが機能性網戸１０Ｆの防虫ネット２に接触するようなことはない。
【００７１】
通気窓は、開閉しない通気窓４であってもよく、開閉式通気窓４Ｂであってもよく、この機能性網戸１０Ｆによれば、図１の機能性網戸１０、図４、５の機能性網戸１０Ｂの効果を発揮することができる。
【００７２】
なお、本考案の機能性網戸は、上記の実施形態（実施例）に限定されない。また、実用新案登録請求の範囲に記載された範囲、実施形態（実施例）の範囲で、種々の変形例、組み合わせが可能であり、それらも、登録実用新案の技術的範囲に含まれるものである。
【産業上の利用可能性】
【００７３】
本考案の機能性網戸は、網戸の通気面積を狭めることなく、かつ、網の取り替えの必要なく、効率よく虫忌避、芳香、防臭または消臭などの効果を発揮し得る機能性網戸を提供することが要請される産業分野に、つまり、戸建て住戸やマンションの住戸であって、節電が要請されているような場合に有効に用いることができる。
【図１】
0003176163.tif 000003
【図２】
0003176163.tif 000004
【図３】
0003176163.tif 000005
【図４】
0003176163.tif 000006
【図５】
0003176163.tif 000007
【図６】
0003176163.tif 000008
【図７】
0003176163.tif 000009
【図８】
0003176163.tif 000010
【図９】
0003176163.tif 000011